(57)【要約】【課題】前処理剤が噴射されることに伴って浮遊するミスト状の前記前処理剤が記録ヘッドに付着することを抑制する。【解決手段】被記録媒体Ｐを搬送する搬送部９と、被記録媒体Ｐの記録面１６にインクを吐出する記録ヘッド１２と、記録面１６に前記インクの滲みを抑制する前処理剤を噴射する前処理剤噴射部６と、記録面１６に向けて送風可能な第１送風部７ａと、を備え、搬送部９による被記録媒体Ｐの搬送方向Ａにおける上流側から下流側に向かって、前処理剤噴射部６、第１送風部７ａ、記録ヘッド１２の順に配置されている。【選択図】図１
2015136865.tif 000002
【特許請求の範囲】
【請求項１】
被記録媒体を搬送する搬送部と、
前記被記録媒体の記録面にインクを吐出する記録ヘッドと、
前記記録面に前処理剤を噴射する前処理剤噴射部と、
前記記録面に向けて送風可能な第１送風部と、を備え、
前記搬送部による前記被記録媒体の搬送方向における上流側から下流側に向かって、前記前処理剤噴射部、前記第１送風部、前記記録ヘッドの順に配置されていることを特徴とする記録装置。
【請求項２】
請求項１に記載の記録装置において、
前記搬送部は、前記記録面に対する裏面側の面と接触可能に設けられ前記裏面側の面に送り力を付与する駆動ローラーと、前記駆動ローラーと対向する位置に設けられた前記第１送風部と、を有することを特徴とする記録装置。
【請求項３】
請求項１に記載の記録装置において、
前記搬送部は、
前記搬送方向における前記前処理剤噴射部の上流側に配置され、
前記記録面に対する裏面側の面と接触可能に設けられ前記裏面側の面に送り力を付与する駆動ローラーと、前記駆動ローラーと対向する位置に設けられ前記記録面に向けて送風可能な前記第２送風部と、を有することを特徴とする記録装置。
【請求項４】
請求項１から３のいずれか１項に記載の記録装置において、
前記第１送風部は、前記搬送方向における上流側に向かって気流が発生するように送風することを特徴とする記録装置。
【請求項５】
請求項１から４のいずれか１項に記載の記録装置において、
前記前処理剤噴射部から前記前処理剤が噴射されることに伴って浮遊するミスト状の前記前処理剤を回収する回収部を備えることを特徴とする記録装置。
【請求項６】
請求項５に記載の記録装置において、
前記回収部を前記記録面側に備えることを特徴とする記録装置。
【請求項７】
請求項５又は６に記載の記録装置において、
前記回収部を前記記録面に対する裏面側に備えることを特徴とする記録装置。
【請求項８】
請求項１から７のいずれか１項に記載の記録装置において、
前記第１送風部はイオンを吹き出すファン、或いは、温風を吹き出すファンであることを特徴とする記録装置。
【請求項９】
請求項３に記載の記録装置において、
前記第２送風部はイオンを吹き出すファン、或いは、温風を吹き出すファンであることを特徴とする記録装置。
【請求項１０】
請求項２に記載の記録装置において、
前記搬送部により搬送される前記被記録媒体の浮きを検出可能なセンサーを備え、
前記第１送風部は、前記センサーの検出結果に応じて送風量を調整可能であることを特徴とする記録装置。
【請求項１１】
請求項３に記載の記録装置において、
前記搬送部により搬送される前記被記録媒体の浮きを検出可能なセンサーを備え、
前記第２送風部は、前記センサーの検出結果に応じて送風量を調整可能であることを特徴とする記録装置。
【発明の詳細な説明】
【技術分野】
【０００１】
本発明は、記録装置に関する。
【背景技術】
【０００２】
従来から、被記録媒体にインクを吐出して記録する記録装置が使用されている。このうち、被記録媒体にインクを吐出する前に該被記録媒体に前処理剤を付着させる記録装置が開示されている。例えば、特許文献１には、被記録媒体にインクを吐出する前に該被記録媒体に前処理剤を吐出する記録装置が開示されている。
【先行技術文献】
【特許文献】
【０００３】
【特許文献１】特開２０１３−１８２１９号公報
【発明の概要】
【発明が解決しようとする課題】
【０００４】
しかしながら、被記録媒体にインクを吐出する前に該被記録媒体に前処理剤を付着させる記録装置のうち、特許文献１に開示される記録装置のように、前処理剤を吐出する等、前処理剤を噴射する構成の記録装置では、前処理剤が噴射されることに伴って浮遊するミスト状の前記前処理剤が記録ヘッドに付着する場合があった。前記前処理剤が記録ヘッドに付着すると、該記録ヘッドにインクの吐出不良を生じさせる場合があるので、前記前処理剤が記録ヘッドに付着することを抑制することが望まれている。
【０００５】
そこで、本発明の目的は、前処理剤が噴射されることに伴って浮遊するミスト状の前記前処理剤が記録ヘッドに付着することを抑制することである。
【課題を解決するための手段】
【０００６】
上記課題を解決するための本発明の第１の記録装置は、被記録媒体を搬送する搬送部と、前記被記録媒体の記録面にインクを吐出する記録ヘッドと、前記記録面に前処理剤を噴射する前処理剤噴射部と、前記記録面に向けて送風可能な第１送風部と、を備え、前記搬送部による前記被記録媒体の搬送方向における上流側から下流側に向かって、前記前処理剤噴射部、前記第１送風部、前記記録ヘッドの順に配置されていることを特徴とする。
【０００７】
ここで、「前処理剤を噴射する前処理剤噴射部」とは、前処理剤を噴霧する構成や前処理剤を吐出させる構成など、前記被記録媒体に前処理剤を付着させる際にミスト状の前処理剤が発生する構成部材を意味する。  
本態様によれば、前記第１送風部は前記記録面に向けて送風可能であり、前記搬送方向における上流側から下流側に向かって、前記前処理剤噴射部、前記第１送風部、前記記録ヘッドの順に配置されている。このため、前記第１送風部から送風されることで発生する気流がエアカーテンを構成し、該エアカーテンは前記前処理剤噴射部と前記記録ヘッドとの間に位置するので、前処理剤が噴射されることに伴って浮遊するミスト状の前記前処理剤が前記記録ヘッドに付着することを抑制することができる。
【０００８】
本発明の第２の態様の記録装置は、前記第１の態様において、前記搬送部は、前記記録面に対する裏面側の面と接触可能に設けられ前記裏面側の面に送り力を付与する駆動ローラーと、前記駆動ローラーと対向する位置に設けられた前記第１送風部と、を有することを特徴とする。
【０００９】
本態様によれば、前記搬送部は、前記記録面に対する裏面側の面と接触可能に設けられ前記裏面側の面に送り力を付与する駆動ローラーと、前記駆動ローラーと対向する位置に設けられた前記第１送風部と、を有する。このため、前記第１送風部による送風の風圧により前記被記録媒体を前記駆動ローラーに押し付けることが可能になり、前記被記録媒体を前記駆動ローラーに押し付ける従動ローラー等を別途設けることなく、該被記録媒体の搬送を高い精度で行うことができる。
【００１０】
本発明の第３の態様の記録装置は、前記第１の態様において、前記搬送部は、前記搬送方向における前記前処理剤噴射部の上流側に配置され、前記記録面に対する裏面側の面と接触可能に設けられ前記裏面側の面に送り力を付与する駆動ローラーと、前記駆動ローラーと対向する位置に設けられ前記記録面に向けて送風可能な前記第２送風部と、を有することを特徴とする。
【００１１】
本態様によれば、前記搬送部は、前記搬送方向における前記前処理剤噴射部の上流側において、前記駆動ローラーと前記第２送風部とを用いて前記被記録媒体を搬送する。すなわち、前記前処理剤噴射部は、前記搬送方向において前記第１送風部と前記第２送風部との間に位置することになり、これらによる気流により、前処理剤が噴射されることに伴って浮遊するミスト状の前記前処理剤を狭い範囲に集めることができる。このため、前記前処理剤の拡散が抑制され、効率的に前記前処理剤が前記記録ヘッドに付着することを抑制することができる。
【００１２】
本発明の第４の態様の記録装置は、前記第１から第３のいずれか１つの態様において、前記第１送風部は、前記搬送方向における上流側に向かって気流が発生するように送風することを特徴とする。
【００１３】
本態様によれば、前記第１送風部は、前記搬送方向における上流側に向かって気流が発生するように送風する。このため、前記記録ヘッドから離れる方向に気流が発生し、効率的に前記前処理剤が前記記録ヘッドに付着することを抑制することができる。
【００１４】
本発明の第５の態様の記録装置は、前記第１から第４のいずれか１つの態様において、前記前処理剤噴射部から前記前処理剤が噴射されることに伴って浮遊するミスト状の前記前処理剤を回収する回収部を備えることを特徴とする。
【００１５】
本態様によれば、前記前処理剤噴射部から前記前処理剤が噴射されることに伴って浮遊するミスト状の前記前処理剤を回収する回収部を備える。このため、前記回収部で前記前処理剤を回収することで、効率的に前記前処理剤が前記記録ヘッドに付着することを抑制することができる。
【００１６】
本発明の第６の態様の記録装置は、前記第５の態様において、前記回収部を前記記録面側に備えることを特徴とする。
【００１７】
本態様によれば、前記回収部を前記記録面側に備える。このため、例えば、前記記録面側から前記回収部側に向かう気流を発生させて前記前処理剤を回収する構成にするなどにより、前記被記録媒体の所望の場所以外に前記前処理剤が付着して該被記録媒体を汚すことを抑制できる。
【００１８】
本発明の第７の態様の記録装置は、前記第５又は第６の態様において、前記回収部を前記記録面に対する裏面側に備えることを特徴とする。
【００１９】
本態様によれば、前記回収部を前記裏面側に備える。このため、例えば、前記記録ヘッドとは対向する側に向かう気流を発生させて前記前処理剤を回収する構成にするなどにより、前記記録ヘッドとは離れた方向に回収することとなり、効率的に前記前処理剤が前記記録ヘッドに付着することを抑制することができる。
【００２０】
本発明の第８の態様の記録装置は、前記第１から第７のいずれか１つの態様において、前記第１送風部はイオンを吹き出すファン、或いは、温風を吹き出すファンであることを特徴とする。
【００２１】
本態様によれば、前記第１送風部はイオンを吹き出すファン、或いは、温風を吹き出すファンである。このため、前記記録ヘッドで記録する前に、前記イオンにより前記被記録媒体の静電気を除去することにより記録品質を向上することができる、或いは、前記温風により前記被記録媒体を加熱できる。
【００２２】
本発明の第９の態様の記録装置は、前記第３の態様において、前記第２送風部はイオンを吹き出すファン、或いは、温風を吹き出すファンであることを特徴とする。
【００２３】
本態様によれば、前記第２送風部はイオンを吹き出すファン、或いは、温風を吹き出すファンである。このため、前記記録ヘッドで記録する前に、前記イオンにより前記被記録媒体の静電気を除去することにより記録品質を向上することができる、或いは、前記温風により前記被記録媒体を加熱できる。
【００２４】
本発明の第１０の態様の記録装置は、前記第２の態様において、前記搬送部により搬送される前記被記録媒体の浮きを検出可能なセンサーを備え、前記第１送風部は、前記センサーの検出結果に応じて送風量を調整可能であることを特徴とする。
【００２５】
本態様によれば、前記搬送部により搬送される前記被記録媒体の浮きを検出可能なセンサーを備え、前記第１送風部は、前記センサーの検出結果に応じて送風量を調整可能である。このため、前記センサーにより前記被記録媒体の浮きを検出した場合に前記第１送風部の風量を変更（弱く）して前記被記録媒体の前記駆動ローラーへの押し付けをリリースするという簡単な動作を行うことで該浮きを解消することが可能になる。
【００２６】
本発明の第１１の態様の記録装置は、前記第３の態様において、前記搬送部により搬送される前記被記録媒体の浮きを検出可能なセンサーを備え、前記第２送風部は、前記センサーの検出結果に応じて送風量を調整可能であることを特徴とする。
【００２７】
本態様によれば、前記搬送部により搬送される前記被記録媒体の浮きを検出可能なセンサーを備え、前記第２送風部は、前記センサーの検出結果に応じて送風量を調整可能である。このため、前記センサーにより前記被記録媒体の浮きを検出した場合に前記第２送風部の風量を変更（弱く）して前記被記録媒体の前記駆動ローラーへの押し付けをリリースするという簡単な動作を行うことで該浮きを解消することが可能になる。
【図面の簡単な説明】
【００２８】
【図１】本発明の実施例１に係る記録装置を表す概略側面図。
【図２】本発明の実施例１に係る記録装置の要部拡大図。
【図３】本発明の実施例１に係る記録装置のブロック図。
【図４】本発明の実施例２に係る記録装置を表す概略側面図。
【図５】本発明の実施例３に係る記録装置を表す概略側面図。
【図６】本発明の実施例４に係る記録装置を表す概略側面図。
【図７】本発明の実施例５に係る記録装置を表す概略側面図。
【発明を実施するための形態】
【００２９】
以下に、本発明の実施例に係る記録装置について、添付図面を参照して詳細に説明する。
【００３０】
［実施例１］（図１〜図３）  
図１は、本発明の実施例１に係る記録装置１を表す概略側面図である。  
本実施例の記録装置１は、被記録媒体Ｐのセット部１４から、被記録媒体Ｐの支持部であるプラテン２、プラテン３及びプラテン４を介して、被記録媒体Ｐの巻取部１５まで、被記録媒体Ｐを搬送方向Ａに搬送する。すなわち、セット部１４から巻取部１５までが記録装置１における被記録媒体Ｐの搬送経路であり、プラテン２、プラテン３及びプラテン４は該搬送経路に設けられた被記録媒体Ｐの支持部である。なお、セット部１４は回転方向Ｃに回転して被記録媒体Ｐを送出し、巻取部１５は回転方向Ｃに回転して被記録媒体Ｐを巻き取る。
【００３１】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐのセット部１４として、例えば、所謂、給紙（給送）トレイ及び給紙（給送）カセットなどと呼ばれるものを使用してもよい。また、被記録媒体Ｐの回収部として、巻取部１５以外の回収部として、例えば、所謂、排出用受部、排紙（排出）トレイ及び排紙（排出）カセットなどと呼ばれるものを使用してもよい。
【００３２】
本実施例の記録装置１は、プラテン２と対向する位置に、前処理剤を噴射する前処理剤噴射部６が設けられている。なお、前処理剤は記録ヘッド１２から吐出されるインクの滲みを抑制するものである。前処理剤噴射部６は、被記録媒体Ｐの記録面１６に向かって方向Ｅに前処理剤を噴射する。  
なお、前処理剤を噴射する前処理剤噴射部６の構成としては、前処理剤を噴霧する構成や前処理剤を吐出させる構成など、前記被記録媒体に前処理剤を付着させる際にミスト状の前処理剤が発生する構成であればよい。
【００３３】
本実施例の記録装置１は、プラテン２とプラテン３の間に駆動ローラー５が設けられ、駆動ローラー５と対向する位置（上部）には第１送風部としてのファン７ａが設けられている。ファン７ａは駆動ローラー５に向かう方向Ｄに送風することが可能である。そして、その風圧により被記録媒体Ｐを駆動ローラー５に押し付けることができる。このような構成により、駆動ローラー５とファン７ａとで搬送部９を構成している。ここで、被記録媒体Ｐを搬送方向Ａに搬送する際には、駆動ローラー５は回転方向Ｃに回転する。  
なお、第１送風部とは、搬送方向Ａにおいて前処理剤噴射部６と記録ヘッド１２との間に設けられる送風部である。
【００３４】
このように、本実施例の搬送部９は、従動ローラーと駆動ローラーとの間で被記録媒体Ｐの記録面側に接触して挟持することなく該被記録媒体Ｐを搬送することができる。このため、被記録媒体Ｐの搬送に伴うローラー痕の付着などの搬送不具合を抑制している。特に、被記録媒体Ｐの記録面側に従動ローラーの跡が付くことを防止できる構成になっている。
【００３５】
なお、本実施例では記録面１６が外側になるように巻かれているロール式の被記録媒体Ｐを使用しているので、被記録媒体Ｐをセット部１４から送出する際、セット部１４は回転軸を回転方向Ｃに回転する。一方、記録面１６が内側になるように巻かれているロール式の被記録媒体Ｐを使用する場合は、セット部１４は回転軸を回転方向Ｃとは逆回転して被記録媒体Ｐを送出することが可能である。  
そして、同様に、本実施例の巻取部１５は被記録媒体Ｐの記録面１６が外側になるように巻き取るので、巻取部１５は回転軸を回転方向Ｃに回転する。一方、記録面１６が内側になるように巻き取る場合は、巻取部１５は回転軸を回転方向Ｃとは逆回転して被記録媒体Ｐを巻き取ることが可能である。
【００３６】
また、本実施例の記録装置１は、プラテン３と対向する側に、被記録媒体Ｐの記録面１６にインクを吐出する記録ヘッド１２が備えられている。記録装置１は、キャリッジ１１を介して搬送方向Ａと交差する方向Ｂに記録ヘッド１２を往復移動させながら、記録ヘッド１２のインク吐出面Ｆから被記録媒体Ｐにインクを吐出させて所望の画像を形成する。  
なお、本実施例の記録装置１は、往復移動しながら記録する記録ヘッド１２を備えているが、インクを吐出するノズルを搬送方向Ａと交差する方向に複数設けた所謂ラインヘッドを備える記録装置でもよい。  
ここで、「ラインヘッド」とは、被記録媒体Ｐの搬送方向Ａと交差する方向Ｂに形成されたノズルの領域が、前記被記録媒体Ｐの方向Ｂ全体をカバー可能なように設けられ、記録ヘッド又は被記録媒体の一方を固定し他方を移動させて画像を形成する記録装置に用いられる記録ヘッドである。なお、ラインヘッドの方向Ｂのノズルの領域は、記録装置が対応している全ての被記録媒体Ｐの方向Ｂ全体をカバー可能でなくてもよい。
【００３７】
また、キャリッジ１１には、搬送方向Ａと交差する方向Ｂにおける被記録媒体Ｐの幅を検出可能な幅検出部としての役割と、被記録媒体Ｐ浮きを検出可能な浮き検出部としての役割と、を兼ねるセンサー１０が設けられている。  
なお、本実施例のセンサー１０は、光学センサーであるがその構成に特に限定はない。
【００３８】
なお、本実施例の記録装置１は、搬送部９が搬送方向Ａにおいて記録ヘッド１２の上流側に設けられている。しかしながら、搬送部９が搬送方向Ａにおいて記録ヘッド１２を挟んで両側に設けられてもよい。搬送部９が前記両側に設けられる構成では、前記両側において被記録媒体Ｐを駆動ローラー５に押し付けることができるので、ジャムなどの搬送不良を効果的に抑制できる。
【００３９】
また、本実施例の記録装置１は、図１で表されるように、外装カバー８を有しており、記録装置１の内部構成を目隠ししているとともに、ユーザーが駆動中のキャリッジ１１等に接触することを抑制している。
【００４０】
ここで、搬送部９のファン７ａは、イオンを吹き出すファンである。別の表現をすると、本実施例の記録装置１は、記録ヘッド１２に対して被記録媒体Ｐの搬送方向上流側にイオンを吹き出し可能なファンが設けられている。このため、記録ヘッド１２で記録する前に前記イオンにより被記録媒体Ｐの静電気を除去することにより記録品質を向上している。そして、搬送部９に被記録媒体Ｐの静電気除去部の役割を兼ねさせることにより低コスト化している。  
また、ファン７ａとして、イオンを吹き出すファンの代わりに温風を吹き出すファンを用いることもできる。このような構成とすることにより、前記温風により被記録媒体Ｐを加熱して前処理剤やインクを乾燥させやすくすることができる。そして、搬送部９に被記録媒体Ｐの加熱部の役割を兼ねさせることにより低コスト化することができる。
【００４１】
また、図１及び本実施例の記録装置１の要部拡大図である図２で表されるように、搬送部９のファン７ａは、記録ヘッド１２から離れる方向である方向Ｄに送風する。具体的には、ファン７ａは搬送方向Ａの上流側に向けて方向Ｄに送風している。このため、ファン７ａから送られる風が記録ヘッド１２から吐出されるインクの飛行状態に影響し、被記録媒体Ｐへの着弾位置ズレを発生させるということを抑制している。また、被記録媒体Ｐの記録面１６に付着した異物が送風により除去され、記録不良の発生を抑制することができる。  
なお、本実施例ではファン７ａは、記録ヘッドがある方向と逆の方向に風が流れるように送風しているが、記録ヘッドがある方向と交差する方向に風が流れるように送風してもよい。この場合、記録ヘッド１２と被記録媒体Ｐとの間に浮遊する記録ヘッド１２から吐出されるインクのミストが、記録ヘッド１２に再付着することが抑制され、記録ヘッド１２から安定してインクを吐出可能である。ただし、ファン７ａの送風方向が記録ヘッド１２に向かう方向である構成も本発明に含まれる。
【００４２】
次に、本実施例の記録装置１における電気的な構成について説明する。  
図３は、本実施例の記録装置１のブロック図である。  
制御部１８には、記録装置１の全体の制御を司るＣＰＵ１９が設けられている。ＣＰＵ１９は、システムバス２０を介して、ＣＰＵ１９が実行する各種制御プログラムやメンテナンスシーケンス等を格納したＲＯＭ２１と、データを一時的に格納可能なＲＡＭ２２と、接続されている。
【００４３】
また、ＣＰＵ１９は、システムバス２０を介して、記録ヘッド１２を駆動するためのヘッド駆動部２３と接続されている。  
また、ＣＰＵ１９は、システムバス２０を介して、キャリッジ１１を移動させるためのキャリッジモーター２５、セット部１４の駆動源である送出モーター２６、駆動ローラー５の駆動源である搬送モーター２７、巻取部１５の駆動源である巻取モーター２８、を駆動させるためのモーター駆動部２４と接続されている。  
また、ＣＰＵ１９は、システムバス２０を介して、ファン７ａを駆動するためのファン駆動部３０と接続されている。  
また、ＣＰＵ１９は、システムバス２０を介して、前処理剤噴射部６を駆動するための前処理剤噴射部駆動部３２と接続されている。  
さらに、ＣＰＵ１９は、システムバス２０を介して、入出力部３１と接続されており、入出力部３１は、センサー１０、記録データ等を記録装置１に入力する外部装置であるＰＣ２９、と接続されている。
【００４４】
上記のように、本実施例の記録装置１は、被記録媒体Ｐを搬送する搬送部９と、被記録媒体Ｐの記録面１６にインクを吐出する記録ヘッド１２と、記録面１６に前記インクの滲みを抑制する前処理剤を噴射する前処理剤噴射部６と、記録面１６に向けて送風可能なファン７ａと、を備えている。そして、搬送方向Ａにおける上流側から下流側に向かって、前処理剤噴射部６、ファン７ａ、記録ヘッド１２の順に配置されている。  
ファン７ａから送風されることで発生する気流はエアカーテンを構成する。そして、該エアカーテンは前処理剤噴射部６と記録ヘッド１２との間に位置するので、本実施例の記録装置１は、前処理剤が噴射されることに伴って浮遊するミスト状の前処理剤が記録ヘッド１２に付着することを抑制している。
【００４５】
また、図１で表されるように、本実施例の搬送部９は、被記録媒体Ｐの記録面１６に対する裏面側の面１７と接触可能に設けられ裏面側の面１７に送り力を付与する駆動ローラー５と、駆動ローラー５と対向する位置に設けられたファン７ａと、を有する。  
このため、ファン７ａによる送風の風圧により被記録媒体Ｐを駆動ローラー５に押し付けることが可能になり、被記録媒体Ｐを駆動ローラー５に押し付ける従動ローラー等を別途設けることなく、該被記録媒体Ｐの搬送を高い精度で行っている。そして、ファン７ａに駆動ローラー５への押付部の役割を兼ねさせることにより低コスト化している。
【００４６】
また、上記のように、本実施例のセンサー１０は、搬送部９により搬送される被記録媒体Ｐの浮きを検出可能である。  
そして、ファン７ａは、制御部１８の制御により、センサー１０の検出結果に応じて送風量を調整可能に構成されている。  
このため、本実施例の記録装置１は、センサー１０により被記録媒体Ｐの浮きを検出した場合にファン７ａの風量を変更（弱く）して被記録媒体Ｐの駆動ローラー５への押し付けをリリースするという簡単な動作を行うことで該浮きを解消することが可能になっている。  
また、図２で表されるように、駆動ローラー５の回転軸３７とプラテン３における搬送方向Ａの下流側端部である外縁部３６とを結んだ直線３８を超えない範囲Ｒ１で挟持するよう搬送量を調整しておくことが望ましい。このような構成とすることにより、被記録媒体Ｐを安定して搬送することができる。
【００４７】
なお、本実施例の搬送部９は、駆動ローラー５と、第１送風部としてのファン７ａと、で構成されているが、別の第１送風部が搬送方向Ａにおいて前処理剤噴射部６と記録ヘッド１２との間に設けられていれば、このような構成の搬送部であることに限定されない。例えば、搬送部として、駆動ローラーと従動ローラーとからなるローラー対を使用することができる。
【００４８】
［実施例２］（図４）  
次に、実施例２の記録装置について、添付図面を参照して詳細に説明する。  
図４は、本実施例の記録装置１の概略側面図を表している。なお、上記実施例と共通する構成部材は同じ符号で示しており、詳細な説明は省略する。  
なお、本実施例の記録装置１は、搬送方向Ａにおいて搬送部９の下流側に前処理剤噴射部６と第１送風部としてのファン７ａとが設けられている以外は、実施例１の記録装置１と同様の構成である。
【００４９】
本実施例の記録装置１では、搬送部９は、駆動ローラー５と、ファン７ａと同様の構成の第２搬送部としてのファン７ｂと、で構成されている。  
なお、第２送風部とは、搬送方向Ａにおいて前処理剤噴射部６の上流側に設けられる送風部である。
【００５０】
また、図４で表されるように、本実施例の搬送部９は、搬送方向Ａにおける前処理剤噴射部６の上流側に配置されている。そして、記録面１６に対する裏面側の面１７と接触可能に設けられ裏面側の面１７に送り力を付与する駆動ローラー５と、駆動ローラー５と対向する位置に設けられ記録面１６に向けて送風可能なファン７ｂを有している。また、搬送方向Ａにおける前処理剤噴射部６の下流側には、実施例１の記録装置１と同様、ファン７ａが設けられている。  
このような構成により、ファン７ａとファン７ｂとによる気流により、前処理剤が噴射されることに伴って浮遊するミスト状の前処理剤は狭い範囲に集められる。このため、前処理剤の拡散が抑制され、効率的に前記前処理剤が前記記録ヘッドに付着することを抑制している。
【００５１】
ここで、搬送部９のファン７ｂは、イオンを吹き出すファンである。別の表現をすると、本実施例の記録装置１は、記録ヘッド１２に対して被記録媒体Ｐの搬送方向上流側にイオンを吹き出し可能なファンが設けられている。このため、記録ヘッド１２で記録する前に前記イオンにより被記録媒体Ｐの静電気を除去することにより記録品質を向上している。そして、搬送部９に被記録媒体Ｐの静電気除去部の役割を兼ねさせることにより低コスト化している。  
また、ファン７ｂとして、イオンを吹き出すファンの代わりに温風を吹き出すファンを用いることもできる。このような構成とすることにより、前記温風により被記録媒体Ｐを加熱して前処理剤やインクを乾燥させやすくすることができる。そして、搬送部９に被記録媒体Ｐの加熱部の役割を兼ねさせることにより低コスト化することができる。
【００５２】
また、本実施例のセンサー１０は、実施例１のセンサー１０と同様、搬送部９により搬送される被記録媒体Ｐの浮きを検出可能である。  
そして、ファン７ｂは、制御部１８の制御により、センサー１０の検出結果に応じて送風量を調整可能に構成されている。  
このため、本実施例の記録装置１は、センサー１０により被記録媒体Ｐの浮きを検出した場合にファン７ｂの風量を変更（弱く）して被記録媒体Ｐの駆動ローラー５への押し付けをリリースするという簡単な動作を行うことで該浮きを解消することが可能になっている。
【００５３】
［実施例３］（図５）  
次に、実施例３の記録装置について、添付図面を参照して詳細に説明する。  
図５は、本実施例の記録装置１の概略側面図を表している。なお、上記実施例と共通する構成部材は同じ符号で示しており、詳細な説明は省略する。  
なお、本実施例の記録装置１は、前処理剤噴射部６の上部に、前処理剤噴射部６から前処理剤が噴射されることに伴って浮遊するミスト状の前処理剤を回収する回収部３３が設けられている以外は、実施例１の記録装置１と同様の構成である。
【００５４】
本実施例の回収部３３は、外装カバー８に設けられ、記録装置１の内部の気体を記録装置１の外部に放出する方向Ｆに気流を発生させるファン３５と、ミスト状の前処理剤を吸収可能なミスト吸収部３４と、を有している。
【００５５】
上記のように、本実施例の記録装置１は、前処理剤噴射部６から前処理剤が噴射されることに伴って浮遊するミスト状の前処理剤を回収する回収部３３を備えている。  
このため、回収部３３で前処理剤を回収することで、効率的に前処理剤が記録ヘッド１２に付着することを抑制している。
【００５６】
また、図５で表されるように、回収部３３は記録面１６側に設けられている。  
このため、ファン３５により発生する気流は被記録媒体Ｐの記録面１６から離れる方向の気流になり、被記録媒体Ｐの所望の場所以外に前処理剤が付着して該被記録媒体Ｐを汚すことを抑制している。
【００５７】
［実施例４］（図６）  
次に、実施例４の記録装置について、添付図面を参照して詳細に説明する。  
図６は、本実施例の記録装置１の概略側面図を表している。なお、上記実施例と共通する構成部材は同じ符号で示しており、詳細な説明は省略する。  
なお、本実施例の記録装置１は、前処理剤噴射部６の上部に、前処理剤噴射部６から前処理剤が噴射されることに伴って浮遊するミスト状の前処理剤を回収する回収部３３が設けられている以外は、実施例２の記録装置１と同様の構成である。
【００５８】
本実施例の回収部３３は、実施例３の回収部３３と同様、外装カバー８に設けられ、記録装置１の内部の気体を記録装置１の外部に放出する方向Ｆに気流を発生させるファン３５と、ミスト状の前処理剤を吸収可能なミスト吸収部３４と、を有している。
【００５９】
上記のように、本実施例の記録装置１は、前処理剤噴射部６から前処理剤が噴射されることに伴って浮遊するミスト状の前処理剤を回収する回収部３３を備えている。  
このため、回収部３３で前処理剤を回収することで、効率的に前処理剤が記録ヘッド１２に付着することを抑制している。
【００６０】
また、図６で表されるように、回収部３３は記録面１６側に設けられている。  
このため、ファン３５により発生する気流は被記録媒体Ｐの記録面１６から離れる方向の気流になり、被記録媒体Ｐの所望の場所以外に前処理剤が付着して該被記録媒体Ｐを汚すことを抑制している。
【００６１】
［実施例５］（図７）  
次に、実施例５の記録装置について、添付図面を参照して詳細に説明する。  
図７は、本実施例の記録装置１の概略側面図を表している。なお、上記実施例と共通する構成部材は同じ符号で示しており、詳細な説明は省略する。  
なお、本実施例の記録装置１は、被記録媒体Ｐの搬送経路における前処理剤噴射部６と対向する位置に、前処理剤噴射部６から前処理剤が噴射されることに伴って浮遊するミスト状の前処理剤を回収する回収部３３が設けられている以外は、実施例２の記録装置１と同様の構成である。
【００６２】
本実施例の回収部３３は、搬送方向Ａにおいて搬送部９とプラテン３との間に設けられ、メッシュ状の媒体支持部１３と、記録装置１の内部の気体を記録装置１の外部に放出する方向Ｆに気流を発生させるファン３５と、ミスト状の前処理剤を吸収可能なミスト吸収部３４と、を有している。
【００６３】
上記のように、本実施例の記録装置１は、前処理剤噴射部６から前処理剤が噴射されることに伴って浮遊するミスト状の前処理剤を回収する回収部３３を備えている。  
このため、回収部３３で前処理剤を回収することで、効率的に前処理剤が記録ヘッド１２に付着することを抑制している。
【００６４】
また、図７で表されるように、回収部３３は記録面１６に対する裏面側の面１７側に設けられている。  
このため、ファン３５により発生する気流は記録ヘッド１２から離れる方向の気流になり、記録ヘッド１２とは離れた方向にミスト状の前処理剤を回収することとなる。したがって、効率的に前処理剤が記録ヘッド１２に付着することを抑制している。
【符号の説明】
【００６５】
１…記録装置、２…プラテン、３…プラテン、４…プラテン、５…駆動ローラー、
６…前処理剤噴射部、７ａ…ファン（第１送風部）、７ｂ…ファン（第２送風部）、
８…外装カバー、９…搬送部、１０…センサー、１１…キャリッジ、
１２…記録ヘッド、１３…媒体支持部、１４…セット部、１５…巻取部、
１６…被記録媒体Ｐの記録面、１７…被記録媒体Ｐの記録面に対する裏面側の面、
１８…制御部、１９…ＣＰＵ、２０…システムバス、２１…ＲＯＭ、２２…ＲＡＭ、
２３…ヘッド駆動部、２４…モーター駆動部、２５…キャリッジモーター、
２６…送出モーター、２７…搬送モーター、２８…巻取モーター、２９…ＰＣ、
３０…ファン駆動部、３１…入出力部、３２…前処理剤噴射部駆動部、３３…回収部、
３４…ミスト吸収部、３５…ファン、３６…プラテン３の外縁部、
３７…駆動ローラー５の回転軸、３８…回転軸３７と外縁部３６とを結んだ直線、
Ｐ…被記録媒体
【図１】
2015136865.tif 000003
【図２】
2015136865.tif 000004
【図３】
2015136865.tif 000005
【図４】
2015136865.tif 000006
【図５】
2015136865.tif 000007
【図６】
2015136865.tif 000008
【図７】
2015136865.tif 000009